(57)【要約】【課題】携帯情報端末に関連付けられた画像の表示面への表示又は表示面からの消去を、携帯情報端末の位置に関係なく表現するよう構成された場合に比較して、直感的に表現する。【解決手段】表示装置は、情報を表示するための表示面２０と、携帯情報端末９０を表示面２０に近付ける操作又は置く操作に応じて、画像９１１〜９１３が携帯情報端末９０から表示面２０へ移動して表示面２０に表示される動作を、表示面２０に表示する表示手段とを備える。【選択図】図１８-１
2019091277.tif 000002
【特許請求の範囲】
【請求項１】
情報を表示するための表示面と、
携帯情報端末を前記表示面に近付ける操作又は置く操作に応じて、第１の画像が当該携帯情報端末から当該表示面へ移動して当該表示面に表示される第１の動作、又は、当該表示面に表示された第２の画像が当該表示面から当該携帯情報端末へ移動する第２の動作を、当該表示面に表示する表示手段と
を備えたことを特徴とする表示装置。
【請求項２】
前記第１の画像は、前記携帯情報端末に設定された第１の情報に関連付けられた画像であることを特徴とする請求項１に記載の表示装置。
【請求項３】
前記第１の情報は、前記第１の画像が表す第１のデータを識別する情報であることを特徴とする請求項２に記載の表示装置。
【請求項４】
前記第１のデータは、自装置に接続する印刷装置での印刷が予約されたデータであることを特徴とする請求項３に記載の表示装置。
【請求項５】
自装置及び前記携帯情報端末とは異なる他の装置から前記第１のデータを受信する受信手段を更に備えたことを特徴とする請求項３に記載の表示装置。
【請求項６】
前記第１の画像は、複数の部分画像を含み、
前記受信手段は、前記複数の部分画像の各部分画像に関連付けられた前記他の装置から、当該各部分画像が表すデータを受信することを特徴とする請求項５に記載の表示装置。
【請求項７】
前記第２の画像は、前記携帯情報端末に設定された第２の情報に関連付けられる画像であることを特徴とする請求項１に記載の表示装置。
【請求項８】
前記第２の情報は、前記第２の画像が表す第２のデータの格納先を識別する情報であることを特徴とする請求項７に記載の表示装置。
【請求項９】
前記第２のデータは、自装置に接続する読取装置で読み取り対象を読み取ることにより得られたデータであることを特徴とする請求項８に記載の表示装置。
【請求項１０】
自装置及び前記携帯情報端末とは異なる他の装置へ前記第２のデータを送信する送信手段を更に備えたことを特徴とする請求項８に記載の表示装置。
【請求項１１】
前記第２の画像は、複数の部分画像を含み、
前記送信手段は、前記複数の部分画像の各部分画像に関連付けられた前記他の装置へ、当該各部分画像が表すデータを送信することを特徴とする請求項１０に記載の表示装置。
【請求項１２】
前記第１の動作は、前記第１の画像の移動の過程を含むことを特徴とする請求項１に記載の表示装置。
【請求項１３】
前記表示手段は、前記第１の画像が拡大される前記第１の動作を表示することを特徴とする請求項１に記載の表示装置。
【請求項１４】
前記第１の動作は、前記第１の画像の移動及び拡大の過程を含むことを特徴とする請求項１３に記載の表示装置。
【請求項１５】
前記第２の動作は、前記第２の画像の移動の過程を含むことを特徴とする請求項１に記載の表示装置。
【請求項１６】
前記表示手段は、前記第２の画像が縮小される前記第２の動作を表示することを特徴とする請求項１に記載の表示装置。
【請求項１７】
前記第２の動作は、前記第２の画像の移動及び縮小の過程を含むことを特徴とする請求項１６に記載の表示装置。
【請求項１８】
情報を表示するための表示面と、
携帯情報端末を前記表示面に近付ける操作又は置く操作に応じて、文書が処理対象となったことを、当該文書を表す画像が当該携帯情報端末から当該表示面へ又は当該表示面から当該携帯情報端末へ移動する動作により表示する表示手段と
を備えたことを特徴とする表示装置。
【請求項１９】
コンピュータに、
携帯情報端末を表示面に近付ける操作又は置く操作に応じて、第１の画像が当該携帯情報端末から当該表示面へ移動して当該表示面に表示される第１の動作、又は、当該表示面に表示された第２の画像が当該表示面から当該携帯情報端末へ移動する第２の動作を表示する機能
を実現させるためのプログラム。
【請求項２０】
コンピュータに、
携帯情報端末を表示面に近付ける操作又は置く操作に応じて、文書が処理対象となったことを、当該文書を表す画像が当該携帯情報端末から当該表示面へ又は当該表示面から当該携帯情報端末へ移動する動作により表示する機能
を実現させるためのプログラム。
【発明の詳細な説明】
【技術分野】
【０００１】
本発明は、表示装置及びプログラムに関する。
【背景技術】
【０００２】
モバイル端末を携帯した端末ユーザが、デジタルサイネージの大型ディスプレイの表示内容を視認できる距離まで接近すると、両者の間に無線接続が自動的に確立され、次いで、デジタルサイネージの大型ディスプレイ上に表示されているキャラクタがジャンプアウトし、モバイル端末の端末ディスプレイ上へジャンプインするコミュニケーションシステムは、知られている（例えば、特許文献１参照）。
【先行技術文献】
【特許文献】
【０００３】
【特許文献１】特開２０１４−０８９４０１号公報
【発明の概要】
【発明が解決しようとする課題】
【０００４】
ここで、携帯情報端末に関連付けられた画像を表示面へ表示したり表示面から消去したりするにあたって、携帯情報端末の位置に関係なく表現する構成を採用した場合には、この表示又は消去を直感的に表現することができない。
【０００５】
本発明の目的は、携帯情報端末に関連付けられた画像の表示面への表示又は表示面からの消去を、携帯情報端末の位置に関係なく表現するよう構成された場合に比較して、直感的に表現することにある。
【課題を解決するための手段】
【０００６】
請求項１に記載の発明は、情報を表示するための表示面と、携帯情報端末を前記表示面に近付ける操作又は置く操作に応じて、第１の画像が当該携帯情報端末から当該表示面へ移動して当該表示面に表示される第１の動作、又は、当該表示面に表示された第２の画像が当該表示面から当該携帯情報端末へ移動する第２の動作を、当該表示面に表示する表示手段とを備えたことを特徴とする表示装置である。
請求項２に記載の発明は、前記第１の画像は、前記携帯情報端末に設定された第１の情報に関連付けられた画像であることを特徴とする請求項１に記載の表示装置である。
請求項３に記載の発明は、前記第１の情報は、前記第１の画像が表す第１のデータを識別する情報であることを特徴とする請求項２に記載の表示装置である。
請求項４に記載の発明は、前記第１のデータは、自装置に接続する印刷装置での印刷が予約されたデータであることを特徴とする請求項３に記載の表示装置である。
請求項５に記載の発明は、自装置及び前記携帯情報端末とは異なる他の装置から前記第１のデータを受信する受信手段を更に備えたことを特徴とする請求項３に記載の表示装置である。
請求項６に記載の発明は、前記第１の画像は、複数の部分画像を含み、前記受信手段は、前記複数の部分画像の各部分画像に関連付けられた前記他の装置から、当該各部分画像が表すデータを受信することを特徴とする請求項５に記載の表示装置である。
請求項７に記載の発明は、前記第２の画像は、前記携帯情報端末に設定された第２の情報に関連付けられる画像であることを特徴とする請求項１に記載の表示装置である。
請求項８に記載の発明は、前記第２の情報は、前記第２の画像が表す第２のデータの格納先を識別する情報であることを特徴とする請求項７に記載の表示装置である。
請求項９に記載の発明は、前記第２のデータは、自装置に接続する読取装置で読み取り対象を読み取ることにより得られたデータであることを特徴とする請求項８に記載の表示装置である。
請求項１０に記載の発明は、自装置及び前記携帯情報端末とは異なる他の装置へ前記第２のデータを送信する送信手段を更に備えたことを特徴とする請求項８に記載の表示装置である。
請求項１１に記載の発明は、前記第２の画像は、複数の部分画像を含み、前記送信手段は、前記複数の部分画像の各部分画像に関連付けられた前記他の装置へ、当該各部分画像が表すデータを送信することを特徴とする請求項１０に記載の表示装置である。
請求項１２に記載の発明は、前記第１の動作は、前記第１の画像の移動の過程を含むことを特徴とする請求項１に記載の表示装置である。
請求項１３に記載の発明は、前記表示手段は、前記第１の画像が拡大される前記第１の動作を表示することを特徴とする請求項１に記載の表示装置である。
請求項１４に記載の発明は、前記第１の動作は、前記第１の画像の移動及び拡大の過程を含むことを特徴とする請求項１３に記載の表示装置である。
請求項１５に記載の発明は、前記第２の動作は、前記第２の画像の移動の過程を含むことを特徴とする請求項１に記載の表示装置である。
請求項１６に記載の発明は、前記表示手段は、前記第２の画像が縮小される前記第２の動作を表示することを特徴とする請求項１に記載の表示装置である。
請求項１７に記載の発明は、前記第２の動作は、前記第２の画像の移動及び縮小の過程を含むことを特徴とする請求項１６に記載の表示装置である。
請求項１８に記載の発明は、情報を表示するための表示面と、携帯情報端末を前記表示面に近付ける操作又は置く操作に応じて、文書が処理対象となったことを、当該文書を表す画像が当該携帯情報端末から当該表示面へ又は当該表示面から当該携帯情報端末へ移動する動作により表示する表示手段とを備えたことを特徴とする表示装置である。
請求項１９に記載の発明は、コンピュータに、携帯情報端末を表示面に近付ける操作又は置く操作に応じて、第１の画像が当該携帯情報端末から当該表示面へ移動して当該表示面に表示される第１の動作、又は、当該表示面に表示された第２の画像が当該表示面から当該携帯情報端末へ移動する第２の動作を表示する機能を実現させるためのプログラムである。
請求項２０に記載の発明は、コンピュータに、携帯情報端末を表示面に近付ける操作又は置く操作に応じて、文書が処理対象となったことを、当該文書を表す画像が当該携帯情報端末から当該表示面へ又は当該表示面から当該携帯情報端末へ移動する動作により表示する機能を実現させるためのプログラムである。
【発明の効果】
【０００７】
請求項１の発明によれば、携帯情報端末に関連付けられた画像の表示面への表示又は表示面からの消去を、携帯情報端末の位置に関係なく表現するよう構成された場合に比較して、直感的に表現することができる。
請求項２の発明によれば、携帯情報端末に設定された情報に関連付けられた画像の表示面への表示を、携帯情報端末の位置に関係なく表現するよう構成された場合に比較して、直感的に表現することができる。
請求項３の発明によれば、携帯情報端末に設定されたデータを識別する情報に関連付けられた画像の表示面への表示を、携帯情報端末の位置に関係なく表現するよう構成された場合に比較して、直感的に表現することができる。
請求項４の発明によれば、印刷装置での印刷が予約されたデータを識別する情報に関連付けられた画像の表示面への表示を、携帯情報端末の位置に関係なく表現するよう構成された場合に比較して、直感的に表現することができる。
請求項５の発明によれば、自装置及び携帯情報端末とは異なる装置に格納されたデータを用いることができる。
請求項６の発明によれば、自装置及び携帯情報端末とは異なる複数の装置の各装置に格納されたデータを用いることができる。
請求項７の発明によれば、携帯情報端末に設定された情報に関連付けられた画像の表示面からの消去を、携帯情報端末の位置に関係なく表現するよう構成された場合に比較して、直感的に表現することができる。
請求項８の発明によれば、携帯情報端末に設定されたデータの格納先を識別する情報に関連付けられた画像の表示面からの消去を、携帯情報端末の位置に関係なく表現するよう構成された場合に比較して、直感的に表現することができる。
請求項９の発明によれば、読取装置で読み取り対象を読み取ることにより得られたデータの格納先を識別する情報に関連付けられた画像の表示面からの消去を、携帯情報端末の位置に関係なく表現するよう構成された場合に比較して、直感的に表現することができる。
請求項１０の発明によれば、自装置及び携帯情報端末とは異なる装置にデータを格納することができる。
請求項１１の発明によれば、自装置及び携帯情報端末とは異なる複数の装置の各装置にデータを格納することができる。
請求項１２の発明によれば、携帯情報端末に関連付けられた画像の表示面への表示の様子を、途中の経過も含めて表現することができる。
請求項１３の発明によれば、携帯情報端末に関連付けられた画像の表示面への表示を、携帯情報端末から表示面へ画像の大きさを維持したまま移動させるよう構成された場合に比較して、より直感的に表現することができる。
請求項１４の発明によれば、携帯情報端末に関連付けられた画像の表示面への表示及び拡大の様子を、途中の経過も含めて表現することができる。
請求項１５の発明によれば、携帯情報端末に関連付けられた画像の表示面からの消去の様子を、途中の経過も含めて表現することができる。
請求項１６の発明によれば、携帯情報端末に関連付けられた画像の表示面からの消去を、表示面から携帯情報端末へ画像の大きさを維持したまま移動させるよう構成された場合に比較して、より直感的に表現することができる。
請求項１７の発明によれば、携帯情報端末に関連付けられた画像の表示面からの消去及び縮小の様子を、途中の経過も含めて表現ことができる。
請求項１８の発明によれば、携帯情報端末の操作で処理対象となった文書を表す画像の表示面への表示又は表示面からの消去を、携帯情報端末の位置に関係なく表現するよう構成された場合に比較して、直感的に表現することができる。
請求項１９の発明によれば、携帯情報端末に関連付けられた画像の表示面への表示又は表示面からの消去を、携帯情報端末の位置に関係なく表現するよう構成された場合に比較して、直感的に表現することができる。
請求項２０の発明によれば、携帯情報端末の操作で処理対象となった文書を表す画像の表示面への表示又は表示面からの消去を、携帯情報端末の位置に関係なく表現するよう構成された場合に比較して、直感的に表現することができる。
【図面の簡単な説明】
【０００８】
【図１】本発明の実施の形態が適用される画像処理装置の外観を示した図である。
【図２】本発明の実施の形態が適用される画像処理装置のハードウェア構成例を示した図である。
【図３】本発明の実施の形態における制御装置の機能構成例を示したブロック図である。
【図４】画像処理装置の待機中における画面表示例を示した図である。
【図５】画像処理装置のログイン完了時における画面表示例を示した図である。
【図６】画像処理装置の印刷操作開始時における画面表示例を示した図である。
【図７】画像処理装置のファイル内容確認時における画面表示例を示した図である。
【図８】画像処理装置の出力形式選択時における画面表示例を示した図である。
【図９】画像処理装置の印刷完了時における画面の表示例を示した図である。
【図１０】ユーザが原稿を操作台に置いた時の画面表示例を示した図である。
【図１１】ユーザが原稿を操作台に置いた時の画面表示例を示した図である。
【図１２】画像処理装置の二次元スキャン完了時における画面表示例を示した図である。
【図１３】画像処理装置の保存操作開始時における画面表示例を示した図である。
【図１４】画像処理装置の三次元スキャン完了時における画面表示例を示した図である。
【図１５】本発明の実施の形態における制御装置の動作例を示したフローチャートである。
【図１６】プリント処理を行う際の制御装置の動作例を示したフローチャートである。
【図１７】二次元スキャン処理を行う際の制御装置の動作例を示したフローチャートである。
【図１８−１】印刷指示画面表示処理で表示される画面表示例を示した図である。
【図１８−２】印刷指示画面表示処理が行われるときの携帯情報端末の画面表示例を示した図である。
【図１９】印刷指示画面表示処理を行う際の制御装置の動作例を示したフローチャートである。
【図２０−１】保存指示画面消去処理で表示される画面表示例を示した図である。
【図２０−２】保存指示画面消去処理が行われるときの携帯情報端末の画面表示例を示した図である。
【図２１】保存指示画面消去処理を行う際の制御装置の動作例を示したフローチャートである。
【発明を実施するための形態】
【０００９】
以下、添付図面を参照して、本発明の実施の形態について詳細に説明する。
【００１０】
［画像処理装置の全体構成］
図１は、本実施の形態が適用される画像処理装置１００の外観を示した図である。図示するように、画像処理装置１００は、ガイド表示部１０と、操作台２０と、投影部３０と、操作検知部４０と、印刷部５０と、撮像部６０ａ〜６０ｄとを備える。
【００１１】
ガイド表示部１０は、画像処理装置１００の操作に対するガイド等のユーザに対するメッセージを表示するディスプレイである。ガイド表示部１０は、後述する操作台２０とは異なり、その表面に接触しても接触は検知されないようになっている。ここで、ガイド表示部１０としては、例えば、液晶ディスプレイを用いるとよい。本実施の形態では、接触する操作を検知しない第１の表示面の一例として、ガイド表示部１０を設けている。
【００１２】
操作台２０は、ユーザが携帯情報端末や原稿等を置いたり操作を行ったりすることができるように、ユーザ側にせり出すように設けられた略水平な台である。この場合の「略水平」は、操作台２０に置かれた携帯情報端末や原稿等がずれ落ちない程度の水平度合いであればよい。操作台２０は、後述する投影部３０の機能により、画像が表示されるようになっており、後述する操作検知部４０の機能により、その表面に接触した場合に接触が検知されるようになっている。但し、操作台２０自体をディスプレイで構成し、投影部３０を設けないようにしてもよい。本実施の形態では、表示面、第２の表示面、原稿台の一例として、操作台２０を設けている。
【００１３】
投影部３０は、操作台２０に画像を投影するプロジェクタである。投影部３０は、ガイド表示部１０の下部に設けてあるため、操作台２０に斜め上方向から画像を投影することになるが、操作台２０の鉛直上方に設けて、操作台２０に真上方向から画像を投影するようにしてもよい。或いは、投影部３０を操作台２０の鉛直下方に設けたり、投影部３０と共にミラーを用いたりして、操作台２０に真下方向から画像を投影するようにしてもよい。ここで、投影部３０としては、例えば、液晶プロジェクタを用いるとよい。
【００１４】
操作検知部４０は、操作台２０の表面に接触することによる操作を検知する。この操作の検知は、例えば、操作台２０に表面に放射状に赤外線を照射してユーザの指等がその赤外線を遮ることを感知することによって行えばよい。即ち、操作検知部４０としては、例えば、赤外線ＬＥＤ及び赤外線センサを用いるとよい。
【００１５】
印刷部５０は、紙等に画像を印刷するプリンタである。ここで、印刷部５０としては、例えば、感光体に付着させたトナーを記録媒体に転写して像を形成する電子写真方式や、インクを記録媒体上に吐出して像を形成するインクジェット方式のものを用いるとよい。或いは、印刷部５０は、版にインクを付けて紙等に押し付けて印刷物を作る印刷機であってもよい。本実施の形態では、印刷装置の一例として、印刷部５０を設けている。
【００１６】
撮像部６０ａ〜６０ｄは、操作台２０に置かれた原稿や携帯情報端末を撮像するカメラである。このうち、撮像部６０ａ，６０ｂは、ガイド表示部１０の上部に設けてあるため、主として、操作台２０に置かれた原稿や携帯情報端末を上方から撮像する。また、撮像部６０ｃ，６０ｄは、操作台２０の手前側に設けてあるため、主として、操作台２０に立体物が置かれた場合にそれを斜め下方向から撮像する。このように、撮像部６０ａ〜６０ｄは、その設けられた位置によって用途が異なるが、以下では、これらを区別しない場合は、撮像部６０と称することにする。この場合、撮像部６０はスキャナとして設けられているので、以下では、撮像部６０について「撮像する」を「スキャンする」とも表記するものとする。本実施の形態では、読取装置の一例として、撮像部６０を設けている。また、図では、撮像部６０を４つのみ示しているが、その数はこれに限られるものではない。例えば、ユーザの視線や動作を検知するための撮像部６０をそのような検知が可能な位置に設けてもよい。
【００１７】
［画像処理装置のハードウェア構成］
図２は、本実施の形態が適用される画像処理装置１００のハードウェア構成例を示した図である。図示するように、画像処理装置１００は、ＣＰＵ（Central Processing Unit）１と、ＲＡＭ（Random Access Memory）２と、ＲＯＭ（Read Only Memory）３と、ＨＤＤ（Hard Disk Drive）４と、通信インターフェース（以下、「通信Ｉ／Ｆ」と表記する）５と、ガイド表示部１０と、投影部３０と、操作検知部４０と、印刷部５０と、撮像部６０とを備える。
【００１８】
ＣＰＵ１は、ＲＯＭ３等に記憶された各種プログラムをＲＡＭ２にロードして実行することにより、後述する各機能を実現する。ＲＡＭ２は、ＣＰＵ１の作業用メモリ等として用いられるメモリである。ＲＯＭ３は、ＣＰＵ１が実行する各種プログラム等を記憶するメモリである。ＨＤＤ４は、撮像部６０がスキャンしたデータや印刷部５０における印刷で用いられるデータ等を記憶する例えば磁気ディスク装置である。通信Ｉ／Ｆ５は、通信回線を介して他の装置との間で各種情報の送受信を行う。
【００１９】
ガイド表示部１０、投影部３０、操作検知部４０、印刷部５０、及び、撮像部６０については、図１を参照して既に説明したので、ここでの説明は省略する。
【００２０】
［制御装置の機能構成］
図３は、このような画像処理装置１００を制御する制御装置７０の機能構成例を示したブロック図である。ここで、制御装置７０は、表示装置、画像読取装置の一例であり、画像処理装置１００のＣＰＵ１（図２参照）が、後述する各機能部を実現するプログラムを例えばＲＯＭ３（図２参照）からＲＡＭ２（図２参照）に読み込んで実行することにより、実現される装置として捉えられる。制御装置７０は、図示するように、表示制御部７１と、投影制御部７２と、検知制御部７３と、印刷制御部７４と、撮像制御部７５と、通信制御部７６と、支払い処理部７７と、原稿種類認識部７８と、スキャンデータ処理部７９とを備える。
【００２１】
表示制御部７１は、ガイド表示部１０に各種ガイド及び各種画面を表示する。本実施の形態では、第１の表示面に情報を表示する第１の表示手段の一例として、表示制御部７１を設けている。
【００２２】
投影制御部７２は、投影部３０を用いて、操作台２０に各種画面を表示する。本実施の形態では、表示面、第２の表示面、原稿台に情報を表示する第２の表示手段の一例として、投影制御部７２を設けている。
【００２３】
検知制御部７３は、操作台２０の表面に接触することによる操作を操作検知部４０が検知したかどうかを判定する。また、ユーザの接近を人感センサ（図示せず）が検知したかどうかも判定する。
【００２４】
印刷制御部７４は、印刷部５０による印刷を制御する。
【００２５】
撮像制御部７５は、操作台２０に置かれた原稿や携帯情報端末を撮像するように撮像部６０を制御し、撮像部６０による撮像で得られた画像を取得する。特に、操作台２０に原稿が置かれてから予め定められた時間が経過すると原稿をスキャンするように撮像部６０を制御し、このスキャンにより得られた電子データであるスキャンデータを取得する。本実施の形態では、画像を読み取る読取手段の一例として、撮像制御部７５を設けている。また、撮像制御部７５は、ユーザの視線や動作を検知するための撮像部６０から、その検知結果を取得することもある。この場合、撮像制御部７５は、操作者の動作を検知する検知手段の一例である。
【００２６】
通信制御部７６は、カードに記録された情報をカードリーダ（図示せず）が読み取ると、カードリーダから情報を受信する。また、携帯情報端末に記憶された情報をＮＦＣ（Near Field Communication）リーダ（図示せず）が受信すると、ＮＦＣリーダから情報を受信する。更に、携帯情報端末に記憶された情報をＷｉ−Ｆｉ（登録商標）により受信する。尚、Ｗｉ−Ｆｉの代わりに、Ｂｌｕｅｔｏｏｔｈ（登録商標）を用いてもよいが、以下では、Ｗｉ−Ｆｉを用いるものとして説明する。本実施の形態では、情報を読み取る読取手段の一例として、通信制御部７６を設けている。
【００２７】
また、通信制御部７６は、通信Ｉ／Ｆ５を介して、外部のクラウドシステムからファイルを受信したり、外部のクラウドシステムへファイルを送信したりする。本実施の形態では、他の装置からデータを受信する受信手段の一例として、また、他の装置へデータを送信する送信手段の一例として、通信制御部７６を設けている。
【００２８】
支払い処理部７７は、通信制御部７６がカードリーダから受信した情報や、通信制御部７６がＷｉ−Ｆｉにより受信した情報に基づいて、支払い情報の作成等の支払いに関する処理を行う。
【００２９】
原稿種類認識部７８は、操作台２０に原稿が置かれると、原稿の種類を認識する。この原稿の種類の認識は、例えば、原稿の種類ごとに予め記憶された画像データとのパターンマッチングにより行えばよい。
【００３０】
スキャンデータ処理部７９は、撮像制御部７５が取得したスキャンデータに対して各種処理を行う。ここで、各種処理は、スキャンデータを加工する処理、複数のスキャンで得られたスキャンデータを一体化する処理等を含む。本実施の形態では、２つの画像を一体化した画像を出力する出力手段の一例として、スキャンデータ処理部７９を設けている。
【００３１】
［画像処理装置の画面表示例］
本実施の形態では、最終的なプリント及びスキャンは画像処理装置１００で行われるが、そのための事前の操作はスマートフォン等の携帯情報端末で行われる。
【００３２】
そこで、画像処理装置１００の画面表示例を説明するに先立ち、携帯情報端末における事前の操作について説明する。携帯情報端末には、画像処理装置１００を利用するためのアプリケーションソフトウェア（以下、「アプリ」という）がインストールされており、ユーザはこのアプリを用いて事前の操作を行う。尚、本実施の形態で用いられるアプリは、画像処理装置１００を利用するためのアプリだけであるので、本明細書で「アプリ」というときは、この画像処理装置１００を利用するためのアプリを指すものとする。
【００３３】
まず、携帯情報端末における初回の操作について説明する。ユーザは、画像処理装置１００を利用するサービスに加入する際に、携帯情報端末でアプリを起動し、認証を行うための認証情報とその他の各種情報とを登録する。
【００３４】
携帯情報端末に登録された各種情報（以下、「登録情報」という）は、支払い方法、印刷設定、保存先等を含む。
【００３５】
本実施の形態において、画像処理装置１００は、公共の空間に設置されて利用されるものであることを前提とするので、支払い方法の登録が必要である。即ち、支払い方法は、プリントやスキャンに対してどのような方法で支払いを行うかを示すものであり、例えば、クレジットカードによる支払い、電子マネー型のＩＣカードによる支払い等を含む。
【００３６】
また、印刷設定は、プリントする際にどのようなプリント結果を得たいかを示すものである。印刷設定は、例えば、白黒印刷かカラー印刷か、片面印刷か両面印刷か等の通常の印刷設定に加えて、ステープル留めをするか、封筒に入れるか、ビニールに入れるか等の特殊な出力形式の印刷設定も含む。
【００３７】
更に、保存先は、原稿をスキャンすることにより得られたスキャンデータをどこに保存するかを示すものである。保存先は、経費精算クラウドシステム、文書管理クラウドシステム、名刺管理クラウドシステム等を含む。これらの保存先は、原稿の種類ごとに、その種類の原稿のスキャンデータが保存される場所として登録しておくとよい。例えば、原稿の種類がレシートであれば、そのスキャンデータは経費精算クラウドシステムに、原稿の種類がＡ４用紙であれば、そのスキャンデータは文書管理クラウドシステムに、原稿の種類が名刺であれば、そのスキャンデータは名刺管理クラウドシステムに、それぞれ保存されるように登録しておけばよい。
【００３８】
次に、携帯情報端末における２回目以降の操作について説明する。ユーザは、例えばクラウドシステムに格納されたファイルを印刷する際に、携帯情報端末でアプリを起動し、クラウドシステムからファイルのリストを取得して、携帯情報端末の表示部に表示する。この状態で、ユーザは、印刷したいファイルを指定することにより、印刷を予約する。以下、この印刷が予約されたファイルを「印刷予約ファイル」と呼ぶことにする。また、ユーザは、印刷予約ファイルに対して、各種情報を登録する。例えば、印刷予約ファイルに対して、出力形式を設定し、支払い方法を設定する。或いは、印刷予約ファイルに対して、出力形式や支払い方法は設定しないままにしておいてもよい。
【００３９】
その後、ユーザが実際にプリントする際には、公共の空間における画像処理装置１００の設置場所に行く必要がある。携帯情報端末のアプリは、この場合の情報の提供も行う。例えば、ユーザが携帯情報端末で印刷予約ファイルを指定して検索ボタンを押下すると、アプリは、ユーザの周辺の地図を携帯情報端末の表示部に表示し、指定された印刷予約ファイルに対して設定された出力形式等を考慮して、その印刷予約ファイルを印刷可能な画像処理装置１００の設置場所を地図上に表示する。これにより、ユーザは、画像処理装置１００の設置場所に行き、印刷したい印刷予約ファイルをプリントすることが可能となる。
【００４０】
以下、画像処理装置１００における画面表示例について説明する。
【００４１】
（待機中の画面表示例）
図４は、画像処理装置１００の待機中における画面表示例を示した図である。図示するように、画像処理装置１００は、待機中において、ガイド表示部１０に待機中画面１０１を表示する。待機中画面１０１は、画像処理装置１００の設置場所でユーザが必要とすると思われる情報を表す表示要素の一例である図形を含む。図では、このような情報の例として、情報Ａ〜Ｈを示している。待機中画面１０１には、画像処理装置１００の設置場所に応じて様々なバージョンがあり、情報Ａ〜Ｈは、待機中画面１０１のバージョンによって異なる。例えば、画像処理装置１００が駅に設置されていれば、待機中画面１０１は駅バージョンであり、情報Ａ〜Ｈは、運行、時刻表、旅行等に関する情報である。尚、図では、情報Ａ〜Ｈを示す図形は、全て同じ大きさとしているが、ユーザが必要とする度合いが高いと推測される情報を表す図形は大きくする等、情報の重要度に応じて変更してもよい。
【００４２】
図４の待機中画面１０１が表示された状態で、ユーザが携帯情報端末９０、原稿９５、及び、立体物９７の何れかを操作台２０に置くと、画像処理装置１００は、プリント処理、二次元スキャン処理、三次元スキャン処理のうち、操作台２０に置かれた物に応じた処理へ移行する。具体的には、画像処理装置１００は、ユーザが携帯情報端末９０を操作台２０に置くと、携帯情報端末９０でアプリが起動されており、アプリが送信した認証情報に基づいて認証が成功すれば、プリント処理へ移行する。一方、ユーザが原稿９５を操作台２０に置くと、二次元スキャン処理へ移行し、ユーザが立体物９７を操作台２０に置くと、三次元スキャン処理へ移行する。
【００４３】
（プリント処理時の画面表示例）
図５は、画像処理装置１００のログイン完了時における画面表示例を示した図である。ユーザが携帯情報端末９０を操作台２０に置き、認証が成功すると、画像処理装置１００は、プリント処理を開始する。その際、認証が成功することによりログイン処理が完了するので、画像処理装置１００は、まず、ガイド表示部１０及び操作台２０にログイン完了画面１０２を表示する。ログイン完了画面１０２は、図示するように、携帯情報端末９０と、操作台２０と、ガイド表示部１０とをアニメーションにより連携した画面となっている。
【００４４】
図６は、画像処理装置１００の印刷操作開始時における画面表示例を示した図である。操作台２０に置かれた携帯情報端末９０で印刷予約ファイルが指定されていれば、画像処理装置１００は、操作台２０に印刷指示画面１０３を表示する。印刷指示画面１０３は、印刷予約ファイルを表す画像（以下、「ファイル画像」という）を含む。図では、このようなファイル画像の例として、ファイル画像９１１〜９１３を示している。また、図では、印刷予約ファイルの属性に応じて印刷料金を算出し、印刷指示画面１０３にこの印刷料金も表示している。一方、画像処理装置１００は、ガイド表示部１０に、編集に関するガイド１２１と、印刷に関するガイド１２２とを表示する。このとき、携帯情報端末９０では、図示するように、アプリが表示部に印刷ボタンを表示する。
【００４５】
図７は、画像処理装置１００のファイル内容確認時における画面表示例を示した図である。ユーザが、図６のガイド１２１に従って、拡大ジェスチャを行うと、画像処理装置１００は、操作台２０にファイル内容表示画面１０４を表示する。ファイル内容表示画面１０４は、実際のサイズで文書等を表示し、その編集を可能とする画面である。例えばファイル画像９１３上で拡大ジェスチャを行った場合、ファイル画像９１３により表される印刷予約ファイルの内容が表示される。一方、画像処理装置１００は、ガイド表示部１０に、内容確認に関するガイド１２３と、出力形式に関するガイド１２４とを表示する。社内文書等の機密を保持すべき文書は、まずは、文字をぼかして表示し、ユーザがガイド１２３に従って指でなぞることにより、文字を見えるように表示するとよい。或いは、手のひらでなぞることにより文字を見えるように表示してもよい。
【００４６】
図８は、画像処理装置１００の出力形式選択時における画面表示例を示した図である。ユーザが、図７のガイド１２４に従って、製本ボタン（図示せず）を押下すると、画像処理装置１００は、操作台２０に出力形式表示画面１０５を表示する。出力形式表示画面１０５は、様々な出力形式を含み、その中から好みの出力形式を選択可能とする。ユーザが何れかの出力形式を選択すると、画像処理装置１００は、画面を元の画面に戻す。
【００４７】
その後、図６の印刷指示画面１０３が表示された状態で、ユーザが印刷料金を支払い、印刷ボタンを押下すると、画像処理装置１００は、印刷を開始する。その際、画像処理装置１００は、ファイル画像９１１〜９１３を手前にフェードアウトするように移動させる。
【００４８】
図９は、画像処理装置１００の印刷完了時における画面の表示例を示した図である。印刷が完了すると、画像処理装置１００は、操作台２０にログアウトガイド画面１０６を表示する。ログアウトガイド画面１０６は、携帯情報端末９０を外す操作を促すように、携帯情報端末９０の周囲のぼんやりと光る部分を含む。一方、画像処理装置１００は、ガイド表示部１０に、ログアウトに関するガイド１２５と、荷物に関するガイド１２６とを表示する。このとき、携帯情報端末９０では、図示するように、アプリが表示部にチェックマークを表示することにより、印刷が完了したことをユーザに知らせる。
【００４９】
これにより、ユーザが携帯情報端末９０を操作台２０から外すと、画像処理装置１００は、ログアウト処理を行い、ガイド表示部１０及び操作台２０に、ログアウトが完了した旨を表示する。また、携帯情報端末９０でも、アプリが表示部に、ログアウトした旨を表示する。
【００５０】
（二次元スキャン処理時の画面表示例）
図１０，１１は、ユーザが原稿９５を操作台２０に置いた時の画面表示例を示した図である。ユーザが原稿９５を操作台２０に置くと、画像処理装置１００は、ガイド表示部１０に、原稿９５の位置調整に関するガイド１７１を表示する。まず、ユーザが、ガイド１７１に従い、図１０に示すように、原稿９５として、レシート９５１、Ａ４用紙９５２、及び、名刺９５３を互いに近付けて操作台２０に置いた場合を考える。この場合、画像処理装置１００は、原稿９５の種類を文書と認識し、操作台２０に、その旨を示す原稿種類認識結果１５０を表示する。次に、ユーザが、ガイド１７１に従い、図１１に示すように、原稿９５として、レシート９５１、Ａ４用紙９５２、及び、名刺９５３を互いに離して操作台２０に置いた場合を考える。この場合、画像処理装置１００は、原稿９５の種類をレシート、Ａ４用紙、及び、名刺と認識し、操作台２０に、その旨を示す原稿種類認識結果１５１〜１５３を表示する。
【００５１】
その後、図１１のように原稿９５が置かれた状態で、予め定められた時間が経過すると、画像処理装置１００は、原稿９５をスキャンする。
【００５２】
図１２は、画像処理装置１００のスキャン完了時における画面表示例を示した図である。スキャンが完了すると、画像処理装置１００は、ガイド表示部１０に、原稿９５の取り去りに関するガイド１７２と、保存先に関するガイド１７３とを表示する。ユーザが、ガイド１７２に従って、レシート９５１、Ａ４用紙９５２、及び、名刺９５３を操作台２０から取り去ると、画像処理装置１００は、操作台２０に、レシートのスキャン画像９２１、Ａ４用紙のスキャン画像９２２、及び、名刺のスキャン画像９２３を表示する。その際、画像処理装置１００は、スキャン画像９２１〜９２３を、正立した状態で表示する。
【００５３】
図１３は、画像処理装置１００の保存操作開始時における画面表示例を示した図である。ユーザが、携帯情報端末９０を操作台２０に置くと、画像処理装置１００は、操作台２０に保存指示画面１５４を表示する。保存指示画面１５４は、スキャン画像９２１〜９２３に加え、携帯情報端末９０に原稿の種類ごとに登録された保存先を表す保存先アイコン９２４〜９２６を含む。ここで、保存先アイコン９２４は、レシートのスキャンデータの保存先として登録された経費精算クラウドシステムを表す。また、保存先アイコン９２５は、Ａ４用紙のスキャンデータの保存先として登録された文書管理クラウドシステムを表す。更に、保存先アイコン９２６は、名刺のスキャンデータの保存先として登録された名刺管理クラウドシステムを表す。その際、携帯情報端末９０では、アプリが表示部に保存ボタンを表示する。ユーザが、保存指示画面１５４において、保存料金を支払い、保存ボタンを押下すると、画像処理装置１００は、レシート、Ａ４用紙、及び、名刺のスキャンデータを、それぞれ対応するクラウドシステムに保存する。
【００５４】
その後、画像処理装置１００は、図９に示したように、ガイド表示部１０に、ログアウトに関するガイド１２５と、荷物に関するガイド１２６とを表示する。これにより、ユーザが携帯情報端末９０を操作台２０から外すと、画像処理装置１００は、ログアウト処理を行い、ガイド表示部１０及び操作台２０に、ログアウトが完了した旨を表示する。また、携帯情報端末９０でも、アプリが表示部に、ログアウトした旨を表示する。
【００５５】
（三次元スキャン処理の画面表示例）
ユーザが立体物９７を操作台２０に置いた状態で、予め定められた時間が経過すると、画像処理装置１００は、立体物９７をスキャンする。そして、ユーザが立体物９７を操作台２０から取り去ると、画像処理装置１００は、ガイド表示部１０及び操作台２０に立体物９７のスキャン結果を表示する。
【００５６】
図１４は、画像処理装置１００のスキャン完了時における画面表示例を示した図である。スキャンが完了すると、画像処理装置１００は、操作台２０にスキャン結果の平面画像９７１を表示する。一方、画像処理装置１００は、ガイド表示部１０にスキャン結果の三次元イメージ９７２を表示する。この三次元イメージ９７２は、図中、矢印で示すように、回転しながら表示され、ユーザがスキャン結果の立体形状を確認できるようになっている。また、画像処理装置１００は、ガイド表示部１０に、保存先の確認に関するガイド１７６と、支払い方法の確定に関するガイド１７７とを表示する。この状態で、ユーザが、携帯情報端末９０を操作台２０に置くと、画像処理装置１００は、操作台２０に保存指示画面１５５を表示する。保存指示画面１５５は、スキャン結果の平面画像９７１に加え、携帯情報端末９０に登録された保存先を表す保存先アイコン９２７を含む。ここで、保存先アイコン９２７は、立体物のスキャンデータの保存先として登録されたクラウドシステムを表す。その際、携帯情報端末９０では、アプリが表示部に保存ボタンを表示する。ユーザが、保存指示画面１５５において、保存料金を支払い、保存ボタンを押下すると、画像処理装置１００は、立体物９７のスキャンデータを、対応するクラウドシステムに保存する。
【００５７】
その後、画像処理装置１００は、図９に示したように、ガイド表示部１０に、ログアウトに関するガイド１２５と、荷物に関するガイド１２６とを表示する。これにより、ユーザが携帯情報端末９０を操作台２０から外すと、画像処理装置１００は、ログアウト処理を行い、ガイド表示部１０及び操作台２０に、ログアウトが完了した旨を表示する。また、携帯情報端末９０でも、アプリが表示部に、ログアウトした旨を表示する。
【００５８】
［制御装置の動作例］
図１５は、このような画面表示を行う制御装置７０の動作例を示したフローチャートである。
【００５９】
図示するように、制御装置７０では、まず、表示制御部７１が、ガイド表示部１０に待機中画面１０１を表示する（ステップ７０１）。
【００６０】
次に、検知制御部７３が、ユーザの接近を人感センサが検知したかどうかを判定する（ステップ７０２）。ユーザの接近を人感センサが検知したと判定されなければ、検知制御部７３は、ステップ７０２を繰り返すが、ユーザの接近を人感センサが検知したと判定されれば、制御装置７０は、公共空間でユーザが必要とする情報をプリントする公共プリント処理を行う（ステップ７０３）。
【００６１】
次いで、撮像制御部７５が、操作台２０に何かが置かれたことを撮像部６０が検知したかどうかを判定する（ステップ７０４）。操作台２０に何かが置かれたことを撮像部６０が検知したと判定されなければ、制御装置７０は、公共プリント処理を継続する。
【００６２】
一方、操作台２０に何かが置かれたことを撮像部６０が検知したと判定されれば、撮像制御部７５は、操作台２０に原稿９５が置かれたことを撮像部６０が検知したかどうかを判定する（ステップ７０５）。その結果、操作台２０に原稿９５が置かれたことを撮像部６０が検知したと判定されれば、制御装置７０は、二次元スキャン処理を行う（ステップ７０６）。
【００６３】
また、操作台２０に原稿９５が置かれたことを撮像部６０が検知したと判定されなければ、撮像制御部７５は、操作台２０に携帯情報端末９０が置かれたことを撮像部６０が検知したかどうかを判定する（ステップ７０７）。その結果、操作台２０に携帯情報端末９０が置かれたことを撮像部６０が検知したと判定されれば、制御装置７０は、プリント処理を行う（ステップ７０８）。尚、このとき、制御装置７０では、プリント処理を行うに先立ち、通信制御部７６が、ＮＦＣにより、携帯情報端末９０に登録された認証情報を取得し、認証情報に基づいて認証及びＷｉ−Ｆｉの接続設定を行い、Ｗｉ−Ｆｉにより、携帯情報端末９０から登録情報を受信しておくものとする。一方、操作台２０に携帯情報端末９０が置かれたことを撮像部６０が検知したと判定されなければ、制御装置７０は、三次元スキャン処理を行う（ステップ７０９）。
【００６４】
図１６は、図１５のステップ７０８のプリント処理を行う際の制御装置７０の動作例を示したフローチャートである。
【００６５】
図示するように、制御装置７０は、まず、ガイド表示部１０及び操作台２０にログイン完了画面１０２を表示する（ステップ７２１）。具体的には、表示制御部７１が、ログイン完了画面１０２の一部をガイド表示部１０に表示し、投影制御部７２が、ログイン完了画面１０２の残りの一部を、投影部３０を用いて操作台２０に表示する。
【００６６】
次に、投影制御部７２が、投影部３０を用いて操作台２０に印刷予約ファイルの印刷を指示するための印刷指示画面１０３を表示する印刷指示画面表示処理を行う（ステップ７２２）。
【００６７】
次いで、支払い処理部７７等が、登録情報において印刷予約ファイルに対して登録された支払い方法又はその場で選択された支払い方法で支払い処理を行う（ステップ７２３）。そして、通信制御部７６が、携帯情報端末９０で印刷ボタンが押下された旨をＷｉ−Ｆｉにより受信したかどうかを判定する（ステップ７２４）。携帯情報端末９０で印刷ボタンが押下された旨をＷｉ−Ｆｉにより受信したと判定されなければ、通信制御部７６は、ステップ７２４を繰り返すが、携帯情報端末９０で印刷ボタンが押下された旨をＷｉ−Ｆｉにより受信したと判定されれば、印刷制御部７４が、印刷部５０で印刷を行うように制御する（ステップ７２５）。
【００６８】
その後、印刷部５０による印刷が終了すると、投影制御部７２が、投影部３０を用いて操作台２０にログアウトガイド画面１０６を表示する（ステップ７２６）。
【００６９】
図１７は、図１５のステップ７０６の二次元スキャン処理を行う際の制御装置７０の動作例を示したフローチャートである。
【００７０】
図示するように、制御装置７０は、まず、操作台２０に原稿種類認識結果を表示する（ステップ７４１）。具体的には、撮像制御部７５が、撮像部６０が撮像した原稿９５の画像を取得し、原稿種類認識部７８が、例えばパターンマッチングにより原稿９５の種類を認識し、投影制御部７２が、投影部３０を用いて操作台２０にその認識の結果を表示する。
【００７１】
次に、撮像制御部７５が、原稿９５の位置が変更されたことを撮像部６０が検知したかどうかを判定する（ステップ７４２）。原稿９５の位置が変更されたことを撮像部６０が検知したと判定されれば、制御装置７０は、再び、ステップ７４１を行う。原稿９５の位置が変更されたことを撮像部６０が検知したと判定されなければ、撮像制御部７５は、予め定められた時間が経過したかどうかを判定する（ステップ７４３）。予め定められた時間が経過したと判定されなければ、撮像制御部７５は、再び、ステップ７４２を行う。
【００７２】
一方、予め定められた時間が経過したと判定されれば、撮像制御部７５は、撮像部６０を用いて、操作台２０に置かれた原稿９５をスキャンする（ステップ７４４）。これにより、投影制御部７２が、投影部３０を用いて操作台２０にスキャン画像９２を表示するスキャン画像表示処理を行う（ステップ７４５）。
【００７３】
次に、撮像制御部７５は、操作台２０に携帯情報端末９０が置かれたことを撮像部６０が検知したかどうかを判定する（ステップ７４６）。操作台２０に携帯情報端末９０が置かれたことを撮像部６０が検知したと判定されなければ、撮像制御部７５は、ステップ７４６を繰り返すが、操作台２０に携帯情報端末９０が置かれたことを撮像部６０が検知したと判定されれば、投影制御部７２が、投影部３０を用いて操作台２０にスキャンデータの保存を指示するための保存指示画面を表示する（ステップ７４７）。尚、このとき、通信制御部７６は、ＮＦＣにより、携帯情報端末９０に登録された認証情報を取得し、認証情報に基づいて認証及びＷｉ−Ｆｉの接続設定を行い、Ｗｉ−Ｆｉにより、携帯情報端末９０から登録情報を受信しておくものとする。
【００７４】
次いで、支払い処理部７７等が、登録情報において原稿９５の種類に対して登録された支払い方法又はその場で選択された支払い方法で支払い処理を行う（ステップ７４８）。そして、通信制御部７６が、携帯情報端末９０で保存ボタンが押下された旨をＷｉ−Ｆｉにより受信したかどうかを判定する（ステップ７４９）。携帯情報端末９０で保存ボタンが押下された旨をＷｉ−Ｆｉにより受信したと判定されなければ、通信制御部７６は、ステップ７４９を繰り返すが、携帯情報端末９０で保存ボタンが押下された旨をＷｉ−Ｆｉにより受信したと判定されれば、投影制御部７２は、保存指示画面１５４を消去する保存指示画面消去処理を行う（ステップ７５０）。そして、通信制御部７６は、原稿９５のスキャンデータを原稿９５の種類に対して登録された保存先に通信Ｉ／Ｆ５を介して送信し、保存する（ステップ７５１）。
【００７５】
［画像処理装置の印刷指示画面表示処理時の画面表示例］
本実施の形態において、画像処理装置１００は、印刷指示画面表示処理を行う際に、携帯情報端末９０を操作台２０に近付ける操作又は置く操作に応じて、ファイル画像が携帯情報端末９０から操作台２０へ移動する動作を操作台２０に表示する。ここで、ファイル画像が携帯情報端末９０から操作台２０へ移動する動作とは、ファイル画像が、ある時点で、操作台２０上の携帯情報端末９０に少なくとも一部が接する位置に表示され、その後のある時点で、操作台２０上の携帯情報端末９０に全く接しない位置に表示される動作を意味する。操作台２０上の携帯情報端末９０に少なくとも一部が接する位置から携帯情報端末９０に全く接しない位置への移動の過程は表示されても表示されなくてもよい。また、携帯情報端末９０を操作台２０に置く操作を待たずに近付ける操作が行われただけでこのような動作を表示してもよい。但し、以下では、携帯情報端末９０を操作台２０に置く操作に応じて、移動の過程を含む動作を表示するものとして、説明する。
【００７６】
図１８−１は、図１６のステップ７２２の印刷指示画面表示処理で表示される画面表示例を示した図であり、図１８−２は、このときの携帯情報端末９０の画面表示例を示した図である。まず、ユーザは、図１８−２に示すように、携帯情報端末９０の表示部に印刷予約ファイルの名前を含むリストを表示する。尚、ここでは、印刷予約ファイルに対してのみアイコンを表示することで、印刷予約ファイルと印刷予約ファイル以外とを区別している。そして、ユーザは、携帯情報端末９０を操作台２０に置く。すると、携帯情報端末９０では、図１８−１に示すように、アプリが表示部に印刷ボタンを表示する。そして、画像処理装置１００は、図１８−１に示すように、操作台２０に、印刷予約ファイルを表すファイル画像９１１〜９１３が携帯情報端末９０から飛び出すアニメーションを表示する。ここで、印刷予約ファイルは、第１のデータの一例であり、印刷予約ファイルの名前は、第１のデータを識別する第１の情報の一例であり、ファイル画像は、第１の情報に関連付けられた第１の画像の一例である。また、ファイル画像９１１〜９１３が携帯情報端末９０から飛び出すアニメーションは、第１の画像が携帯情報端末から表示面へ移動して表示面に表示される第１の動作の一例である。
【００７７】
その後、画像処理装置１００は、図６の印刷指示画面１０３が操作台２０に表示されると、アニメーションを停止する。このとき、画像処理装置１００は、印刷予約ファイルを格納するクラウドシステムから印刷予約ファイルを受信している。即ち、本実施の形態は、印刷予約ファイルが印刷対象となったことを、ファイル画像が携帯情報端末９０から操作台２０へ移動する動作により表示するものでもある。
【００７８】
尚、上記では、ファイル画像９１１〜９１３は、携帯情報端末９０から飛び出す際に徐々に拡大することを想定した。以下でも、ファイル画像９１１〜９１３は徐々に拡大するものとして説明するが、必ずしも徐々に拡大しなくてよい。例えば、携帯情報端末９０が置かれた位置でファイル画像９１１〜９１３が図６の大きさまで拡大し、後はその大きさを維持しつつ移動するものでもよい。以下では、ファイル画像の拡大についても、その過程を含む動作を表示するものとして説明するが、ファイル画像の拡大の過程は含まなくてもよい。
【００７９】
また、画像処理装置１００は、複数のファイル画像が操作台２０に表示されている場合に、個々のファイル画像に対応する個々のクラウドシステムから印刷予約ファイルを受信するようにしてもよい。この場合、ファイル画像９１１〜９１３を合わせた画像は、第１の画像の一例であり、ファイル画像９１１〜９１３は、複数の部分画像の一例である。
【００８０】
更に、画像処理装置１００は、外部のクラウドシステムから印刷予約ファイルを受信するようにした。この場合、クラウドシステムは、自装置及び携帯情報端末とは異なる他の装置の一例である。しかしながら、画像処理装置１００は、携帯情報端末９０から印刷予約ファイルを受信するようにしてもよい。
【００８１】
［制御装置の印刷指示画面表示処理時の動作例］
図１９は、図１６のステップ７２２の印刷指示画面表示処理を行う際の制御装置７０の動作例を示したフローチャートである。尚、ファイル画像９１１〜９１３が携帯情報端末９０から飛び出すアニメーションは如何なるものでもよいが、ここでは、一例として、ファイル画像９１１〜９１３のそれぞれが携帯情報端末９０の中心位置から図６の表示位置まで直線的に移動するものを考える。そして、ファイル画像９１１〜９１３のそれぞれの移動距離及びサイズは、操作台２０に携帯情報端末９０を置いてからの経過時間に比例するものとし、操作台２０に携帯情報端末９０を置いてから１秒で図６の状態になるものとする。また、以下では、操作台２０上の座標系において、携帯情報端末９０の中心の座標を（Ｘ０，Ｙ０）とし、ファイル画像については、ファイル画像９１１〜９１３のうちの１つのみについて考え、その中心の座標を（Ｘ，Ｙ）とする。更に、携帯情報端末９０を置いてからの経過時間をｔとし、表示は０．１秒刻みで変化するものとする。
【００８２】
図示するように、制御装置７０では、まず、投影制御部７２が、経過時間ｔを０．１に設定する（ステップ８０１）。次に、投影制御部７２は、投影部３０を用いて、操作台２０の座標（ｔＸ＋（１−ｔ）Ｘ０，ｔＹ＋（１−ｔ）Ｙ０）の位置に、ファイル画像を拡大率ｔで表示する（ステップ８０２）。
【００８３】
その後、投影制御部７２は、経過時間ｔが１より小さいかどうかを判定する（ステップ８０３）。経過時間ｔが１より小さいと判定されれば、投影制御部７２は、ｔに０．１を加算し（ステップ８０４）、処理をステップ８０２へ戻す。一方、経過時間ｔが１より小さいと判定されなければ、投影制御部７２は、処理を図１６へ戻す。
【００８４】
［画像処理装置の保存指示画面消去処理時の画面表示例］
本実施の形態において、画像処理装置１００は、保存指示画面消去処理を行う際に、携帯情報端末９０を操作台２０に近付ける操作又は置く操作に応じて、スキャン画像が操作台２０から携帯情報端末９０へ移動する動作を操作台２０に表示する。ここで、スキャン画像が操作台２０から携帯情報端末９０へ移動する動作とは、スキャン画像が、ある時点で、操作台２０上の携帯情報端末９０に全く接しない位置に表示され、その後のある時点で、操作台２０上の携帯情報端末９０に少なくとも一部が接する位置に表示される動作を意味する。操作台２０上の携帯情報端末９０に全く接しない位置から携帯情報端末９０に少なくとも一部が接する位置への移動の過程は表示されても表示されなくてもよい。また、携帯情報端末９０を操作台２０に置く操作を待たずに近付ける操作が行われただけでこのような動作を表示してもよい。但し、以下では、携帯情報端末９０を操作台２０に置く操作に応じて、移動の過程を含む動作を表示するものとして、説明する。
【００８５】
図２０−１は、図１７のステップ７５０の保存指示画面消去処理で表示される画面表示例を示した図であり、図２０−２は、このときの携帯情報端末９０の画面表示例を示した図である。まず、ユーザは、図１３の保存指示画面１５４が表示された状態で、携帯情報端末９０を操作台２０に置く。すると、携帯情報端末９０では、図２０−２に示すように、アプリが表示部にスキャン画像９２１〜９２３の保存先に設定されたクラウドシステムを示すフォルダの名前を含むリストを表示し、更に、保存ボタンを表示する。そして、ユーザが保存ボタンを押下すると、画像処理装置１００は、図２０−１に示すように、操作台２０に、スキャンデータを表すスキャン画像９２１〜９２３が携帯情報端末９０に入り込むアニメーションを表示する。ここで、スキャンデータは、第２のデータの一例であり、保存先のフォルダの名前は、第２のデータの格納先を識別する第２の情報の一例であり、スキャン画像は、第２の情報に関連付けられる第２の画像の一例である。また、スキャン画像９２１〜９２３が携帯情報端末９０に入り込むアニメーションは、表示面に表示された第２の画像が表示面から携帯情報端末へ移動する第２の動作の一例である。
【００８６】
このとき、画像処理装置１００は、スキャンデータをクラウドシステムへ送信している。即ち、本実施の形態は、スキャンデータが保存対象となったことを、スキャン画像が操作台２０から携帯情報端末９０へ移動する動作により表示するものでもある。
【００８７】
尚、上記では、スキャン画像９２１〜９２３は、携帯情報端末９０に入り込む際に徐々に縮小することを想定した。以下でも、スキャン画像９２１〜９２３は徐々に縮小するものとして説明するが、必ずしも徐々に縮小しなくてよい。例えば、スキャン画像９２１〜９２３が図１３の大きさを維持しつつ移動し、携帯情報端末９０が置かれた位置に移動した時点で消えてなくなるようにしてもよい。以下では、スキャン画像の縮小についても、その過程を含む動作を表示するものとして説明するが、スキャン画像の縮小の過程は含まなくてもよい。
【００８８】
また、画像処理装置１００は、複数のスキャン画像が操作台２０に表示されている場合に、個々のスキャン画像に対応する個々のクラウドシステムへスキャンデータを送信するようにしてもよい。この場合、スキャン画像９２１〜９２３を合わせた画像は、第２の画像の一例であり、スキャン画像９２１〜９２３は、複数の部分画像の一例である。
【００８９】
更に、画像処理装置１００は、外部のクラウドシステムへスキャンデータを送信するようにした。この場合、クラウドシステムは、自装置及び携帯情報端末とは異なる他の装置の一例である。しかしながら、ユーザが携帯情報端末９０を、その表示部にフォルダ「ローカル」を表示した状態で操作台２０に置くことにより、画像処理装置１００は、スキャンデータを携帯情報端末９０へ送信するようにしてもよい。
【００９０】
［制御装置の保存指示画面消去処理時の動作例］
図２１は、図１７のステップ７５０の保存指示画面消去処理を行う際の制御装置７０の動作例を示したフローチャートである。尚、スキャン画像９２１〜９２３が携帯情報端末９０に入り込むアニメーションは如何なるものでもよいが、ここでは、一例として、スキャン画像９２１〜９２３のそれぞれが図１３の表示位置から携帯情報端末９０の中心位置まで直線的に移動するものを考える。そして、スキャン画像９２１〜９２３のそれぞれの移動距離及びサイズは、操作台２０に携帯情報端末９０を置いてからの経過時間に比例するものとし、操作台２０に携帯情報端末９０を置いてから１秒で消えてなくなるものとする。また、以下では、操作台２０上の座標系において、携帯情報端末９０の中心の座標を（Ｘ０，Ｙ０）とし、スキャン画像については、スキャン画像９２１〜９２３のうちの１つのみについて考え、その中心の座標を（Ｘ，Ｙ）とする。更に、携帯情報端末９０を置いてからの経過時間をｔとし、表示は０．１秒刻みで変化するものとする。
【００９１】
図示するように、制御装置７０では、まず、投影制御部７２が、経過時間ｔを０．１に設定する（ステップ８２１）。次に、投影制御部７２は、投影部３０を用いて、操作台２０の座標（（１−ｔ）Ｘ＋ｔＸ０，（１−ｔ）Ｙ＋ｔＹ０）の位置に、スキャン画像を拡大率（１−ｔ）で表示する（ステップ８２２）。
【００９２】
その後、投影制御部７２は、経過時間ｔが１より小さいかどうかを判定する（ステップ８２３）。経過時間ｔが１より小さいと判定されれば、投影制御部７２は、ｔに０．１を加算し（ステップ８２４）、処理をステップ８２２へ戻す。一方、経過時間ｔが１より小さいと判定されなければ、投影制御部７２は、処理を図１７へ戻す。
【００９３】
［プログラム］
本実施の形態における制御装置７０が行う処理は、例えば、アプリケーションソフトウェア等のプログラムとして用意される。
【００９４】
即ち、本実施の形態を実現するプログラムは、コンピュータに、携帯情報端末を表示面に近付ける操作又は置く操作に応じて、第１の画像が携帯情報端末から表示面へ移動して表示面に表示される第１の動作、又は、表示面に表示された第２の画像が表示面から携帯情報端末へ移動する第２の動作を表示する機能を実現させるためのプログラムとして捉えられる。
【００９５】
また、本実施の形態を実現するプログラムは、コンピュータに、携帯情報端末を表示面に近付ける操作又は置く操作に応じて、文書が処理対象となったことを、文書を表す画像が携帯情報端末から表示面へ又は表示面から携帯情報端末へ移動する動作により表示する機能を実現させるためのプログラムとしても捉えられる。
【００９６】
尚、本実施の形態を実現するプログラムは、通信手段により提供することはもちろん、ＣＤ−ＲＯＭ等の記録媒体に格納して提供することも可能である。
【符号の説明】
【００９７】
１０…ガイド表示部、２０…操作台、３０…投影部、４０…操作検知部、５０…印刷部、６０…撮像部、７０…制御装置、７１…表示制御部、７２…投影制御部、７３…検知制御部、７４…印刷制御部、７５…撮像制御部、７６…通信制御部、７７…支払い処理部、７８…原稿種類認識部、７９…スキャンデータ処理部、１００…画像処理装置
【図１】
2019091277.tif 000003
【図２】
2019091277.tif 000004
【図３】
2019091277.tif 000005
【図４】
2019091277.tif 000006
【図５】
2019091277.tif 000007
【図６】
2019091277.tif 000008
【図７】
2019091277.tif 000009
【図８】
2019091277.tif 000010
【図９】
2019091277.tif 000011
【図１０】
2019091277.tif 000012
【図１１】
2019091277.tif 000013
【図１２】
2019091277.tif 000014
【図１３】
2019091277.tif 000015
【図１４】
2019091277.tif 000016
【図１５】
2019091277.tif 000017
【図１６】
2019091277.tif 000018
【図１７】
2019091277.tif 000019
【図１８−１】
2019091277.tif 000020
【図１８−２】
2019091277.tif 000021
【図１９】
2019091277.tif 000022
【図２０−１】
2019091277.tif 000023
【図２０−２】
2019091277.tif 000024
【図２１】
2019091277.tif 000025